(57)【要約】【課題】  一部の室内ユニットの電源が遮断されても熱交換器の結霜、凍結および漏水を招くことなく他の室内ユニットが運転できる空気調和機を得る。【解決手段】  伝送線５に接続され各室内ユニット２、３への電力供給を行う伝送線電源１６と、各室内ユニットに流入又は流出する冷媒量を調節又は遮断する冷媒回路遮断手段２１、４１と、各室内ユニットの電源の遮断を検出する停電検出手段３０、５０と、室内ユニットの電源が遮断されても少なくとも伝送線による通信機能と冷媒回路遮断手段の駆動機能を確保できる電力を伝送線から受電する伝送線受電手段２９、４９と、停電検出手段により電源遮断を検出した時に冷媒回路遮断手段を動作させ室内ユニットへの冷媒流入又は室内ユニットからの冷媒流出を遮断する冷媒回路遮断制御手段３４、５４と、一部の室内ユニットの電源遮断を検出しても室外ユニットの運転を継続する運転制御手段１０とを備える。【選択図】  図１  
2005077056.tif 000002
【特許請求の範囲】
【請求項１】
少なくとも１台の室外ユニットと複数台の室内ユニットが同一冷媒配管で接続され、かつそれぞれが伝送線で接続された空気調和機において、
前記伝送線に接続され各室内ユニットへの電力供給を行う伝送線電源と、
各室内ユニットに流入又は流出する冷媒量を調節又は遮断する冷媒回路遮断手段と、
各室内ユニットの電源の遮断を検出する停電検出手段と、
室内ユニットの電源が遮断されても少なくとも前記伝送線による通信機能と前記冷媒回路遮断手段の駆動機能を確保できる電力を伝送線から受電する伝送線受電手段と、
前記停電検出手段により電源遮断を検出した時に前記冷媒回路遮断手段を動作させ当該室内ユニットへの冷媒流入又は室内ユニットからの冷媒流出を遮断する冷媒回路遮断制御手段と、
一部の室内ユニットの電源遮断を検出しても室外ユニットの運転を継続する運転制御手段と、
を備えたことを特徴とする空気調和機。
【請求項２】
各室内ユニットは、
ドレン水を溜めるドレンパンと、
ドレン水の水位を検出するドレンセンサと、
伝送線からの受電電力で前記ドレンセンサを動作させてドレン水位を検出するドレンセンサ受電検出手段と、
停電時の冷媒回路遮断中にドレン水位が所定値以上を検出した時に室外ユニットの運転
を停止させる通報を送信する強制停止通報手段と、
を備えたことを特徴とする請求項１記載の空気調和機。
【請求項３】
室内ユニットは、
ドレンパンから高位置の排水口にドレン水を吸上げて排水するドレンポンプと、
伝送線からの受電電力で当該ドレンポンプを駆動するドレンポンプ受電駆動手段と、
ドレン水位が所定値以上を検出した時にドレンポンプを駆動させるドレンポンプ受電駆動制御手段と、
を備えたことを特徴とする請求項２記載の空気調和機。
【請求項４】
停電時の冷媒回路遮断中にドレン水位が所定値以上を検出した時に、リモコン、集中管理装置等への異常発報、室内ユニット又は室外ユニットからの警報出力等を行う漏水警報表示手段を備えたことを特徴とする請求項２記載の空気調和機。
【請求項５】
室外ユニットは、
自らの冷媒回路に接続された室内ユニット個々の電源状態を検出する室内ユニット停電検出手段と、
この室内ユニット停電検出手段により同時期に停電検出された室内ユニットが複数存在する時には冷媒回路遮断動作を順次行う冷媒回路遮断順次制御手段と、
を備えたことを特徴とする請求項１記載の空気調和機。
【請求項６】
室外ユニットは、
自らの冷媒回路に接続された室内ユニット個々の電源状態を検出する室内ユニット停電検出手段と、
この室内ユニット停電検出手段により同時期に停電検出された室内ユニットが複数存在する時に、伝送線からの受電電力によるドレンパンの水位検出を順次行う停電時ドレンセンサ検知順次制御手段を備えたことを特徴とする請求項２記載の空気調和機。
【請求項７】
室外ユニットは、
自らの冷媒回路に接続された室内ユニット個々の電源状態を検出する室内ユニット停電検出手段と、
この室内ユニット停電検出手段により同時期に停電検出された室内ユニットの内、ドレンセンサ受電検出手段による検出値が所定値以上であるものが複数存在する時にドレンポンプ受電駆動手段の動作を順次行う停電時ドレンポンプ駆動順次制御手段と、
を備えたことを特徴とする請求項３記載の空気調和機。
【発明の詳細な説明】
【技術分野】
【０００１】
この発明は、少なくとも１台の室外ユニットと複数台の室内ユニットとで構成される空気調和機に関するものであり、特に一部の室内ユニットが通電されていない場合でも他の室内ユニットを運転させる運転制御方法に関するものである。
【背景技術】
【０００２】
従来の空気調和機においては、一部の室内ユニットの停電時に室外ユニットを運転させるために必要な停電中室内ユニットの熱交換器結霜および凍結防止手段、更にドレン水の発生防止および排水手段等が無い構成であったため、一部の室内ユニットの停電中は室外ユニットを停止させなければならない（例えば、特許文献１参照）。
【０００３】
【特許文献１】特開平６−２２１６５２号公報
【発明の開示】
【発明が解決しようとする課題】
【０００４】
従来の空気調和機は、上記のような構成であったため、例えば修理、点検等で一部の室内ユニットの電源を遮断した場合には同じ室外ユニットに冷媒接続される他の室内ユニットが全て運転できないという問題点があった。
また、例えば室内ユニットの熱交換器が残霜または残露状態で停電した場合にはドレン水のオーバーフローを検出できず、漏水事故が発生するという問題があった。
【０００５】
この発明は、上述のような課題を解決するためになされたもので、第1の目的は、一部の室内ユニットの電源が遮断されても熱交換器の結霜、凍結および漏水を招くことなく他の室内ユニットが運転できる空気調和機を得ることである。
さらに第２の目的は、室内ユニットの熱交換器が残霜または残露状態で停電した場合にも適切なドレン水の排水動作を行い、漏水を未然に防止できる空気調和機を得ることである。
【課題を解決するための手段】
【０００６】
この発明に係る空気調和装置においては、少なくとも１台の室外ユニットと複数台の室内ユニットが同一冷媒配管で接続され、かつそれぞれが伝送線で接続されたものにおいて、伝送線に接続され各室内ユニットへの電力供給を行う伝送線電源と、各室内ユニットに流入又は流出する冷媒量を調節又は遮断する冷媒回路遮断手段と、各室内ユニットの電源の遮断を検出する停電検出手段と、室内ユニットの電源が遮断されても少なくとも伝送線による通信機能と冷媒回路遮断手段の駆動機能を確保できる電力を伝送線から受電する伝送線受電手段と、停電検出手段により電源遮断を検出した時に冷媒回路遮断手段を動作させ室内ユニットへの冷媒流入又は室内ユニットからの冷媒流出を遮断する冷媒回路遮断制御手段と、一部の室内ユニットの電源遮断を検出しても室外ユニットの運転を継続する運転制御手段とを備えたものである。
【発明の効果】
【０００７】
この発明は、停電中の室内ユニットが伝送線からの給電電力で自らの冷媒回路を主たる冷媒回路から分離できるので、一部の室内ユニットの電源が遮断されても熱交換器の結霜、凍結および漏水を招くことなく他の室内ユニットが運転できる空気調和機を得ることができる。
【発明を実施するための最良の形態】
【０００８】
実施の形態１．
図１はこの発明の実施の形態１における空気調和機の構成を示すブロック図であり、図の上側は電気系の概略回路図を示し、図の下側は冷媒系の概略回路図を示している。
【０００９】
図１において、少なくとも１台の室外ユニット１と、第１の室内ユニット２と、第２の室内ユニット３と、これらの室内ユニットに操作、設定信号を入力し運転状態情報を表示するリモコン４とは、これらの機器の通信および電力供給の媒体となる伝送線５によって接続されている。また、室外ユニット１と室内ユニット２と室内ユニット３は各ユニット間の冷媒流通の媒体となる同一冷媒配管８で接続されている。室内ユニットの電源６は、ブレーカー７ａを介して室内ユニット２に、またブレーカー７ｂを介して室内ユニット３にそれぞれ接続されている。なお、本図においては第３の室内ユニット以下の室内ユニットおよびリモコン４以外のリモコンについては同じ構成であるため表記を省略しているが、製品としての制約範囲内で台数が変化してもよい。
【００１０】
まず室外ユニット１の構成について説明する。室外ユニット１は、室外制御器１０と、マイコン１４の制御により冷媒を圧縮、循環させる圧縮機１１と、この圧縮機１１から吐出された冷媒を凝縮させる室外側熱交換器１２と、この熱交換器１２に送風して熱交換を促すファン１３とから構成されている。運転制御手段としての室外制御器１０は、室外ユニット１の内部状態データおよび伝送線５からの室内ユニットの運転、状態データをメモリに記憶されたプログラムに従って演算し運転制御および通信制御を行うマイコン１４と、伝送線５によって送受信する通信信号とマイコン１４とのデータ信号を双方向変換する通信回路１５と、伝送線５を介してリモコン４、室内ユニット２、３に電力を供給する伝送線電源１６と、マイコン１４の制御プログラムを記憶するメモリ１７と、マイコン１４の制御信号に応じて室外ユニット１のファン１３を駆動するファン駆動回路１８と、マイコン１４の制御信号に応じて圧縮機１１を駆動する圧縮機駆動回路１９とから構成されている。
【００１１】
次に室内ユニット２および室内ユニット３の構成について説明する。室内ユニット２、３は、それぞれ室内制御器２０、４０と、マイコン２７、４７の制御により冷媒を減圧、膨張させるとともに室内側熱交換器２２、４２へ流入する冷媒量を調節又は遮断する冷媒回路遮断手段としてのリニア膨張弁２１、４１と、このリニア膨張弁２１、４１にて減圧された冷媒を蒸発させる室内側熱交換器２２、４２と、この熱交換器２２、４２に送風して室内空気を冷却および除湿するファン２３、４３と、室内空気の冷却によって熱交換器２２、４２表面に発生する結露水を収集して溜めるドレンパン２４、４４と、このドレンパン２４、４４に溜まったドレン水の水位を検出するドレンセンサ２５、４５と、前記ドレン水をより高位置の排水口に吸上げ排水するドレンポンプ２６、４６とから構成されている。運転制御手段としての室内制御器２０、４０は、室内ユニット２、３の内部状態データおよび伝送線５からの室外ユニット１の運転、状態データおよびリモコン４の操作データを内蔵するメモリに記憶されたプログラムに従って演算し運転制御および通信制御を行うマイコン２７、４７と、伝送線５によって送受信する通信信号とマイコン２７、４７とのデータ信号を双方向変換する通信回路２８、４８と、電源６の停電またはブレーカー７ａ、７ｂの遮断により室内ユニット２、３への電源供給が遮断された場合に伝送線５からの電源供給に切り換えて制御器２０、４０の制御電源を保持する伝送線受電手段としての電源切換回路２９、４９と、上記電源遮断を検出しマイコン２７、４７に停電検出信号を入力する停電検出手段としての停電検出回路３０、５０と、マイコン２７、４７の制御信号により前記ドレンポンプ２６、４６を駆動するポンプ駆動回路３１、５１と、前記ドレンセンサ２５、４５の検出信号をマイコン２７、４７の読み込める信号レベルに変換し入力する水位検出回路３２、５２と、マイコン２７、４７の制御信号により前記ファン２３、４３を駆動するファン駆動回路３３、５３と、同じくマイコン２７、４７の制御信号により前記リニア膨張弁２１、４１を駆動する冷媒回路遮断制御手段としてのリニア膨張弁駆動回路３４、５４とから構成されている。
【００１２】
以上の構成においては、室内ユニット２、３への冷媒流入を遮断する冷媒回路遮断手段としてリニア膨張弁を用いて説明するが、リニア膨張弁の代わりに通電時に開弁となる電磁弁を用いても良い。
【００１３】
また、図１においては、室内ユニット２、３への冷媒流入を遮断する構成として説明するが、室内ユニット２、３からの流出側も併せて遮断する構成としても良い。
【００１４】
次に動作について説明する。図２はこの発明の実施の形態１における空気調和機のシステム動作を示すフローチャートであり、室外ユニット１及び室内ユニット２、３のプログラムのうち、室内ユニットの電源が遮断された場合の処理の流れを示す。
図２において、ステップＳ１００〜ステップＳ１１３は室内ユニット２、３を制御するマイコン２７、４７の処理を示し、ステップＳ１５０〜ステップＳ１５６は室外ユニット１を制御するマイコン１４の処理を示す。
【００１５】
まず、室内ユニット２、３を制御するマイコン２７、４７の処理について説明する。ステップＳ１００ではマイコン２７、４７のプログラムを開始する処理を行い、ステップＳ１０１では空気調和機のシステム全体が通電されている通常状態の制御を行う。ステップＳ１０２では停電検出回路３０、５０により検出した停電検出信号により電源状態を判定し停電時にはステップＳ１０３に進み、通電時にはステップＳ１０１に戻る処理を行う。ステップＳ１０３では制御器２０、４０の制御電源を伝送線５からの電源供給に切り換え保持する。ステップＳ１０４では通信回路２８、４８により伝送線５を介して自らの停電を室外ユニット１に送信する。ステップＳ１０５ではリニア膨張弁駆動回路３４、５４によりリニア膨張弁２１、４１を全閉にする。ステップＳ１０６では前の処理から所定時間後にドレンセンサ２５、４５から水位検出回路３２、５２を介して入力された信号により検出したドレンパン２４、４４の水位を所定値と比較し、水位が所定値を越えていればステップＳ１０７に進み、水位が所定値以下の場合にはステップＳ１１２に分岐する処理を行う。ステップＳ１０７ではポンプ駆動回路３１、５１によりドレンポンプ２６、４６を運転する。ステップＳ１０８ではステップＳ１０７の処理から所定時間後にドレンセンサ２５、４５から水位検出回路３２、５２を介して入力された信号により検出したドレンパン２４、４４の水位を所定値と比較し、水位が所定値を越えていればステップＳ１０９に進み、水位が所定値以下の場合にはステップＳ１１１に分岐する処理を行う。ステップＳ１０９では通信回路２８、４８により伝送線５を介して自らのドレン水位オーバーによる強制停止通報を室外ユニット１に送信する処理を行う。ステップＳ１１０では通信回路２８、４８により伝送線５を介してリモコン４に自らのドレン水位オーバー異常通報を送信し異常表示させ、あるいは警報機器への接続がある場合には警報出力を行う。ステップＳ１１１ではステップＳ１０７にて運転したドレンポンプ２６、４６を停止させる。ステップＳ１１２では停電検出回路３０、５０により検出した停電検出信号により電源状態を判定し停電時にはステップＳ１０６に戻り、通電時にはステップＳ１１３に分岐する処理を行う。ステップＳ１１３では停電前の運転および操作状態データの復元、室外ユニット１への復電通報等通常運転に復帰するための処置を行い、ステップＳ１０１に戻る。
【００１６】
次に、室外ユニット１を制御するマイコン１４の処理について説明する。ステップＳ１５０ではマイコン１４のプログラムを開始する処理を行い、ステップＳ１５１では空気調和機のシステム全体が通電されている通常状態の制御を行う。ステップＳ１５２では通信回路１５により伝送線５を介して受信した室内ユニット２、３からの停電通報（ステップＳ１０４からの）の有無により冷媒回路接続している全室内ユニットの電源状態を照査し停電中の室内ユニットが存在する場合にはステップＳ１５３に進み、全ての室内ユニットが通電中の場合はステップＳ１５１に戻る処理を行う。ステップＳ１５３では停電中の室内ユニットを停止扱いとして他の室内ユニットに対応する運転制御を行う。ステップＳ１５４では通信回路１５により伝送線５を介して冷媒回路接続している室内ユニットからの強制停止通報（ステップＳ１０９からの）を受信した場合にはステップ１５５に進み、受信がない場合にはステップＳ１５２に戻る処理を行う。ステップＳ１５５では圧縮機駆動回路１９により圧縮機１１を強制的に停止させ、異常停止と同等の制御処理を行う。ステップＳ１５６ではリモコン４によるリセット操作の受信またはスイッチ入力等直接入力によりリセット操作を検出した場合にはステップＳ１５５の処理を解消し、ステップＳ１５３へ戻り、検出していない場合にはそのままの強制停止状態を保持する。
【００１７】
次に、図１および図２を用いて動作説明を行う。例えばファン２３の故障により交換が必要になりブレーカー７ａを遮断した場合、室内ユニット２は停電を検出し（ステップＳ１０２）、電源を伝送線５からの供給に切り替え制御用の電源を確保した上で（ステップＳ１０３）、室外ユニット１に自分の停電を伝達する（ステップＳ１０４）。そして、リニア膨張弁２１を全閉することにより自分の冷媒回路を空気調和機全体の冷媒回路から分離する（ステップＳ１０５）。一方室外ユニット１は室内ユニット２の停電通報を受けて（ステップＳ１５２）、当該室内ユニット２を停止扱いして、その他の通電室内ユニット３他に対応する運転制御を行う（ステップＳ１５３）。
【００１８】
このように構成された空気調和機においては、停電中の室内ユニットでも伝送線からの給電電力で冷媒回路を制御できるので、停電中室内ユニットを冷媒回路上分離して運転することにより、停電中室内ユニットの熱交換器結霜および凍結、更に結露水による漏水といった問題を招くことなく通電室内ユニットを運転させることができる。
【００１９】
次に、ドレンパンより排水口が高い位置にあり、ドレンポンプによって排水口までくみ上げて排水する構成の室内ユニットに対応する動作を説明する。上記リニア膨張弁の２１の閉弁より所定時間をおいてドレン水位を検出し（ステップＳ１０６）、所定値を越えている場合にはドレンポンプ２６を運転して排水を行う（ステップＳ１０７）。そして、前記ドレンポンプ２６の運転より所定時間後再びドレン水位検出を行い（ステップＳ１０８）、所定水位より下がらない場合には水漏れの危険性ありと判断し室外ユニット１に強制停止通報を送信し（ステップＳ１０９及びＳ１５４）、圧縮機１１を停止させることにより冷媒回路全体を停止させる（ステップＳ１５５）。またリモコン４をはじめ接続される全リモコンに異常通報をおこない異常表示させる（ステップＳ１１０）。また必要に応じて特別な警報出力を行う。ドレンポンプ２６の運転により水位が所定値以下に下がった場合にはドレンポンプ２６を停止（ステップＳ１１１）させて以後電源復旧までドレン水位検知を継続する。
【００２０】
このように構成された空気調和機においては、停電中の室内ユニットでも伝送線からの給電電力でドレンパンの水位検知およびドレンポンプの運転ができるので、リニア膨張弁の故障により室内ユニットへの冷媒流入が遮断できなくなった場合でも、停電中室内ユニットの漏水事故を招くことなく通電室内ユニットを運転させることができる。
【００２１】
また、上記ドレンポンプを運転してもドレン水位が低下しない場合には室外ユニット１を強制的に停止させ冷媒回路を停止するので、ドレンポンプの故障またはドレンポンプの容量を超える漏水要因または、ドレンポンプが装備されていない場合においても漏水事故を未然に防ぐことができる。
【００２２】
さらに、リモコン４への異常表示および警報出力を行なうことにより漏水の危険をユーザーおよびサービスマンに報知するので、加湿機の水漏れ等の冷媒回路を停止しても回避できない漏水要因に対しても人的手段による漏水回避の処置を行うことができる。
【００２３】
実施の形態２．
この発明の実施の形態２について説明する。構成を示すブロック図は実施の形態１と同じである。図３はこの発明の実施の形態２における空気調和機のシステム動作を示すフローチャートであり、室外ユニット１及び室内ユニット２、３のうち、室内ユニットの電源が遮断された場合の処理の流れを示す。
図３において、ステップＳ１００〜ステップＳ１０７、ステップＳ１１２、ステップＳ１１３、及びステップＳ１２０〜ステップＳ１２３は室内ユニット２、３を制御するマイコン２７、４７の処理を示し、ステップＳ１５０〜ステップＳ１５３、及びステップＳ１６０〜ステップＳ１７１は室外ユニット１を制御するマイコン１４の処理を示す。
【００２４】
まず、室内ユニット２、３を制御するマイコン２７、４７の処理について説明する。ステップＳ１００〜ステップＳ１０７、ステップＳ１１２、ステップＳ１１３は前記実施の形態１と同じ処理であるため説明を省略する。ステップＳ１２０では通信回路により伝送線５を介して冷媒回路接続している室外ユニット１からのリニア膨張弁閉弁指令（ステップＳ１６２からの）を受信した場合にはステップＳ１０５に進み、受信がない場合にはそのままの状態で待機する。ステップＳ１２１では通信回路により伝送線５を介して冷媒回路接続している室外ユニット１からのドレン水位検出指令（ステップＳ１６３からの）を受信した場合にはステップＳ１０６に進み、受信がない場合にはステップＳ１１２に分岐する処理を行う。ステップＳ１２２では通信回路により伝送線５を介して冷媒回路接続している室外ユニット１に自分のドレン水位が所定値をオーバーしたことを警報する。ステップＳ１２３では通信回路により伝送線５を介して冷媒回路接続している室外ユニット１からのドレンポンプ運転指令（ステップＳ１６９からの）を受信した場合にはステップＳ１０７に進み、受信がない場合にはそのままの状態で待機する。
【００２５】
次に室外ユニット１を制御するマイコン１４の処理について説明する。ステップＳ１５０〜ステップＳ１５３は前記実施の形態１と同じ処理であるため説明を省略する。ステップＳ１６０ではステップＳ１５２で検出した室内ユニットからの停電通報により停電している室内ユニットの台数を積算する。ステップＳ１６１ではステップ１５２で検出した停電中室内ユニットのうちでリニア膨張弁閉弁指令およびドレン水位検出指令を送信した台数を積算するカウンタｎに初期値１をセットする。ステップＳ１６２では上記停電中室内ユニットのうち予め行われた順位付けによるｎ番目の室内ユニットに対しリニア膨張弁の駆動を許可し全閉させるリニア膨張弁閉弁指令を送信する処理を行う。ステップＳ１６３では前記ｎ番目の停電中室内ユニットにドレン水位検出動作を許可しドレン水位を検出させるドレン水位検出指令を送信する処理を行う。ステップＳ１６４ではカウンタｎを１つカウントアップする処理を行う。ステップＳ１６５では、カウンタｎの値とステップＳ１６０で積算した停電中室内ユニットの総数を比較しカウンタｎの値が停電中室内ユニットの総数より大きい場合にはステップＳ１５３に進み、以下の場合にはステップＳ１６２に戻る処理を行う。ステップＳ１６６では室内ユニットからのドレンオーバー警報を受信した場合にステップＳ１６７に進み、受信がない場合にはステップＳ１５２に戻る処理を行う。ステップＳ１６７ではステップＳ１６６で受信した室内ユニットからのドレンオーバー警報によりドレン水位が所定値以上である室内ユニットの台数を積算する処理を行う。ステップＳ１６８ではステップＳ１６６で検出したドレン水位が所定値以上である停電中室内ユニットのうちでドレンポンプ運転指令を送信した台数を積算するカウンタｍに初期値１をセットする。ステップＳ１６９では上記室内ユニットのうち予め行われた順位付けによるｍ番目の室内ユニットに対しドレンポンプの運転を許可し運転させるドレンポンプ運転指令を送信する。ステップＳ１７０ではカウンタｍを１つカウントアップする処理を行う。ステップＳ１７１では、カウンタｍの値とステップＳ１６７で積算したドレン水位が所定値以上である停電中室内ユニットの総数を比較しカウンタｍの値がドレン水位が所定値以上である停電中室内ユニットの総数より大きい場合にはステップＳ１５２に戻り、以下の場合にはステップＳ１６９に戻る処理を行う。
【００２６】
図４はこの発明の実施の形態２における空気調和機のシステムの動作で、停電時のリニア膨張弁、ドレンセンサおよびドレンポンプの制御に関する室外ユニットと複数の室内ユニットの通信手順と各ユニットの運転状態を示すものである。
図４においては、時刻Ｔ１において室内ユニット２０１〜２０３の電源が遮断されると室内ユニット２０１〜２０３はそれぞれ室外ユニット２００に停電通報通信２１１〜２１３を送信し、室外ユニット２００はこの通信に対して室内ユニット２０１〜２０３にリニア膨張弁閉弁指令通信２１４〜２１６およびドレン水位検出指令通信２１７〜２１９を順次送信し、時刻Ｔ２においてドレン水位が所定値以上であることを検出した室内ユニット２０１、２０２は室外ユニット２００にそれぞれドレンオーバー警報通信２２０、２２１を送信し、室外ユニット２００はこの通信に対して室内ユニット２０１、２０２にドレンポンプ運転指令通信２２２〜２２４を順次送信し、時刻Ｔ３において室内ユニット２０１はドレン水位が低下せず室外ユニット２００に強制停止通報通信２２５を送信している。
【００２７】
図４は室内ユニット２０１〜２０５が運転中に室内ユニット２０１〜２０３の電源が遮断され、その後室内ユニット２０１、２０２にてドレン水位が所定値以上になり、ドレンポンプの運転により室内ユニット２０２はドレン水位が所定値より下がったが室内ユニット２０１はドレン水位が下がらなかった例について表している。
【００２８】
次に、図１、図３および図４を用いて動作説明を行う。図４の例の如く、一部の室内ユニットの電源が遮断された場合、停電した室内ユニット２０１〜２０３はそれぞれ電源を伝送線５からの受電に切換え、室外ユニット２００に停電通報２１１〜２１３を送信する（ステップＳ１０４）。室外ユニット２００はこれらの通信を受けて停電中の室内ユニットのアドレスを記憶し、所定時間待機した後これらの停電中室内ユニットに一定時間間隔で順次リニア膨張弁閉弁指令通信２１４〜２１６とドレン水位検出指令通信２１７〜２１９を送信する（ステップＳ１６２及びＳ１６３）。室外機２００はこのようにして停電中の全室内ユニットのリニア膨張弁指令処理を行った上で実施の形態１と同様に停電中の室内ユニットを停止扱いとして運転を継続する（ステップＳ１５３）。この例ではリニア膨張弁閉弁指令通信２１４〜２１６はアドレスの若い順に２０秒間隔で行っているが、当該室内ユニットのリニア膨張弁を全開の開度から全閉にするのに要する時間より長く、リニア膨張弁全開のまま冷媒が室内ユニットに流入しても熱交換器の結霜、凍結および漏水を招くことのない時間を室内ユニットの最大接続台数で除算した値より短かければ良い。また、ドレン水位検出指令通信２１７〜２１９もアドレスの若い順に２０秒間隔で行っているが、当該室内ユニットのドレン水位検出に要する時間より長く、ドレンポンプ停止のまま冷媒が室内ユニットに流入してもドレン水のオーバーフローによる漏水を招くことのない時間を室内ユニットの最大接続台数で除算した値より短かければ良い。また上記一連のドレン水位検出動作は全室内ユニットの復電を検出するまで繰り返し行う。
【００２９】
室内ユニット２０１〜２０２は停電通報後は室外ユニットのリニア膨張弁閉弁指令およびドレン水位検出指令の受信を待機し、それぞれリニア膨張弁閉弁指令受信時にはリニア膨張弁を全閉（ステップＳ１０５）し、ドレン水位検出指令受信時には検出動作を行う（ステップＳ１０６）。室内ユニット２０３のように検出したドレン水位が所定値以下の場合は次回の同通信受信まで待機する。待機中にも停電検出は行い復電を検出した場合にはそれぞれ実施の形態１と同様に復電処理を行い通常運転に復帰する。一方室内ユニット２０１、２０２は検出したドレン水位が所定値より高いのでドレンオーバー警報２２０、２２１をそれぞれ室外ユニット２００に送信（ステップＳ１２２）し、ドレンポンプ運転指令の受信を待機する（ステップＳ１２３）。室外ユニット２００はこれらのドレン水位検出結果を受けてドレン水位が所定値より高い室内ユニットのアドレスを記憶し、これらの停電中室内ユニットに一定時間間隔で順次ドレンポンプ運転指令通信２２２、２２３を送信する（ステップＳ１６９）。この例ではドレンポンプ運転指令通信２２２、２２３はアドレスの若い順に５分間隔で行っているが、リニア膨張弁全開のまま冷媒が室内ユニットに流入しても検出した所定水位からドレンパンがオーバーフローするまでの所要時間を室内ユニットの最大接続台数で除算した値より短かければ良い。また上記一連のドレンポンプ運転動作は全室内ユニットのドレン水位検知結果が所定値以下となるまで繰り返し行う。この例では室内ユニット２０１のドレン水位が所定値より高いままであるため室外ユニットは再度ドレンポンプ運転指令通信２２４を送信している。  
【００３０】
室内ユニット２０１、２０２は上記ドレンポンプ運転指令通信２２２、２２３を受信してドレンポンプを運転しドレン水を排水するが、室内ユニット２０１の如くドレン水位が所定値より下がらない場合には実施の形態１の様に室外ユニット２００に強制停止通報通信２２５を送信する。室外ユニット２００は当該通信を受けてドレン水オーバーフローの危険性を検知し、異常停止モードとなり冷媒回路を停止する。異常停止モードとなった室外ユニット２００は冷媒回路で接続している全室内ユニットに異常通報通信２２６〜２３０を送信する。室内ユニット２０１〜２０５はこの通信を受けて異常停止モードとなり各接続リモコンに漏水警報表示を行う。
【００３１】
なお、以上の例では室内ユニットからの強制停止通報通信２２５により室外ユニット２００がドレン水オーバーフローの危険性を検知したが、室外ユニット２００が上記ドレンポンプ運転動作を所定時間または所定回数行っても室内ユニット２０１のドレン水位が所定値より高いままである場合にドレン水オーバーフローの危険性があると判断、異常停止モードとなり、その後上記同様動作を行っても良い。
【００３２】
また、上記例ではドレンポンプ運転指令通信を送信する優先順位付けは各室内ユニットにて予め設定されたアドレスの若い順であったが、上記ドレンセンサを段階的に水位検知できるものとし、水位の高いものから順にドレン排水を行ってもよい。
【００３３】
このように構成された空気調和機においては、冷媒回路接続されている各室内ユニットの電源状態情報が室外ユニットに収集され、室外ユニットの制御により室内ユニットが１台ずつ順次冷媒回路の遮断を行うので同時期に消費される伝送線からの給電電力を低減できる。即ち伝送線電源１６の電源容量を必要最小限に設計することができ、安価で小形な伝送線電源を提供することができる。
【００３４】
また、上記冷媒回路の遮断と同様に室内ユニットが１台ずつ順次ドレン水位検出動作を行うので、例えばヒータと温度センサーを一体化させヒータ通電後のセンサー検知温度からセンサーの水没を検知する構成のドレンセンサにおいても同時期に消費される伝送線からの給電電力を低減できる。即ち伝送線電源１６の電源容量を必要最小限に設計することができ、安価で小形な伝送線電源を提供することができる。
【００３５】
さらに、冷媒回路接続されている各停電中室内ユニットのドレン水位の状態情報が室外ユニットに収集され、室外ユニットの制御により室内ユニットが１台ずつドレンポンプを運転し排水を行うので同時期に消費される伝送線からの給電電力を低減できる。即ち伝送線電源１６の電源容量を必要最小限に設計することができ、安価で小形な伝送線電源を提供することができる。
【図面の簡単な説明】
【００３６】
【図１】この発明の実施の形態１における空気調和機の構成を示すブロック図である。
【図２】この発明の実施の形態１における空気調和機のシステム動作を示すフローチャートである。
【図３】この発明の実施の形態２における空気調和機のシステム動作を示すフローチャートである。
【図４】この発明の実施の形態２における空気調和機のシステムの動作で、停電時のリニア膨張弁、ドレンセンサおよびドレンポンプの制御に関する室外ユニットと複数の室内ユニットの通信手順と各ユニットの運転状態を示す図である。
【符号の説明】
【００３７】
１  室外ユニット、２、３  室内ユニット、４  リモコン、５  伝送線、６  電源、
７ａ、７ｂ  ブレーカー、８  冷媒配管、１０、２０、４０  制御器（運転制御手段）、１１  圧縮機、  １２  室外側熱交換器、１３、２３、４３  ファン、１４、２７、４７  マイコン、１５、２８、４８  通信回路、１６  伝送線電源、１７  メモリ、１８、３３、５３  ファン駆動回路、１９  圧縮機駆動回路、２１、４１  リニア膨張弁（冷媒回路遮断手段）、２２、４２  室内側熱交換器、２４、４４  ドレンパン、２５、４５  ドレンセンサ、２６、４６  ドレンポンプ、２９、４９  電源切換回路（伝送線受電手段）、３０、５０  停電検出回路（停電検出手段）、３１、５１  ポンプ駆動回路、３２、５２  水位検出回路、３４、５４  リニア膨張弁駆動回路（冷媒回路遮断制御手段）。
【図１】
2005077056.tif 000003
【図２】
2005077056.tif 000004
【図３】
2005077056.tif 000005
【図４】
2005077056.tif 000006